(57)【要約】【課題】設定情報の書き換えを短時間で行うことが可能な表示システムを提供すること。【解決手段】映像データおよび設定情報の書き換えデータが入出力される入出力装置と、前記入出力装置の出力データを受信する表示装置と、を備える表示システムにおいて、前記表示装置は、前記入出力装置からの入力信号が前記映像データであるか前記書き換えデータであるかを判定する判定部と、前記入力信号が前記映像データである場合は前記入力信号を出力し、前記入力信号が書き換えデータである場合は前記入力信号を出力させない第２の選択部と、前記入力信号が書き換えデータである場合、前記書き換えデータをメモリに書き込む書き込み制御部を備えることを特徴とする表示システム。【選択図】図３
2011158660.tif 000002
【特許請求の範囲】
【請求項１】
映像データおよび設定情報の書き換えデータが入出力される入出力装置と、
前記入出力装置の出力データを受信する表示装置と、
を備える表示システムにおいて、
前記入出力装置は、
前記書き換えデータの有無を示す切替信号に応じて、前記映像データまたは前記書き換えデータを出力する第１の選択部を備え、
前記表示装置は、
前記入出力装置からの入力信号が前記映像データであるか前記書き換えデータであるかを判定する判定部と、
前記入力信号が前記映像データである場合は前記入力信号を出力し、前記入力信号が書き換えデータである場合は前記入力信号を出力させない第２の選択部と、
前記入力信号が書き換えデータである場合、前記書き換えデータをメモリに書き込む書き込み制御部を備えることを特徴とする表示システム。
【請求項２】
前記第２の選択部に所定の映像データが入力され、前記入力信号が書き換えデータであった場合に前記所定の映像データを出力することを特徴とする請求項１に記載の表示システム。
【請求項３】
映像データおよび設定情報の書き換えデータが入出力される入出力装置において、
前記書き換えデータの有無を示す切替信号に応じて、前記映像データまたは前記書き換えデータを出力する選択部を備えることを特徴とする入出力装置。
【請求項４】
前記入出力装置には、垂直同期信号が入力され、
前記選択部は、前記垂直同期信号のブランク期間にデータの書き換え示す情報を含む信号を出力することを特徴とする請求項３記載の入出力装置。
【請求項５】
前記入出力装置には、垂直同期信号が入力され、
前記選択部は、前記垂直同期信号のブランク期間に書き換え対象を示すＩＤを含む信号を出力することを特徴とする請求項３または４記載の入出力装置。
【請求項６】
入力信号が映像データであるか書き換えデータであるかを判定する判定部と、
前記入力信号が前記映像データである場合は前記入力信号を出力し、前記入力信号が書き換えデータである場合は前記入力信号を出力させない選択部と、
前記入力信号が書き換えデータである場合、前記書き換えデータをメモリに書き込む書き込み制御部と、
を備える表示装置。
【請求項７】
前記表示装置には、垂直同期信号が入力され、
前記判定部は、前記垂直同期信号のブランク期間における前記入力信号の状態に基づいて、前記入力信号が映像データであるか書き換えデータであるかを判定することを特徴とする請求項６記載の表示装置。
【請求項８】
前記表示装置は、該表示装置に特有の識別情報を有し、
前記判定部は、前記識別情報と前記垂直同期信号のブランク期間における前記入力信号に含まれる書き換え対象を示す書き換え対象情報とを比較し、
書き込み制御部は、前記識別情報と前記書き換え対象情報とが一致した場合に、前記書き換えデータを前記メモリに書き込むことを特徴とする請求項６または７記載の表示装置。
【発明の詳細な説明】
【技術分野】
【０００１】
本発明は、設定情報の書き換えを行う表示システム、入出力装置、および表示装置に関する。
【背景技術】
【０００２】
Field Programmable Gate Array (FPGA）は、製造後にユーザが回路の構成情報を変更することが可能な集積回路であり、現在、様々な装置で用いられている。
FPGAは例えばプリント（PT）板に設置されており、FPGAを書き換える場合、通常は書き換えツールとFPGAを備えたプリント板とを１対１で接続して書き換えを行う。
【０００３】
図１は、従来のFPGA書き換え方法を示す図である。
表示システム１０は、表示盤１１、映像入力用プリント板１３、およびFPGA書き換え用のパーソナルコンピュータ（PC）１４を備える。
【０００４】
表示盤１１は、映像入力用プリント板１３と接続している。
映像入力用プリント板１３には、例えば、不図示のPCからDVI（Digital Visual Interface）やHD-SDI（High Definition Serial Digital Interface）等を介して映像データが入力され、表示盤１１に適した形式に変換され、表示盤１１に出力される。
【０００５】
表示盤１１は、複数のプリント板１２−ｎ（ｎ＝１〜４）を備える。
プリント板１２は、表示盤１１を制御する。プリント板１２には、FPGAが具備されている。
【０００６】
例えば、プリント板１２−１のFPGAを書き換えたい場合、ユーザはFPGA書き換え用のPC１４をプリント板１２−１に接続し、書き換えデータを送信し、FPGAの書き換えを行う。
【先行技術文献】
【特許文献】
【０００７】
【特許文献１】特開２００５−１６５４３５号公報
【特許文献２】特開２００８−１３６１８４号公報
【発明の概要】
【発明が解決しようとする課題】
【０００８】
しかしながら、複数のFPGAを書き換える場合、それぞれのFPGAを備えたプリント板に対し、PCの接続およびFPGAの書き換えデータの送信を行う必要があり、非常に手間と時間が掛かるという問題があった。
【０００９】
本発明の課題は、設定情報の書き換えを短時間で行うことが可能な表示システムを提供することである。
【課題を解決するための手段】
【００１０】
本発明の一態様によれば、表示システムは、映像データおよび設定情報の書き換えデータが入出力される入出力装置と、前記入出力装置の出力データを受信する表示装置と、を備える。
【００１１】
前記入出力装置は、前記書き換えデータの有無を示す切替信号に応じて、前記映像データまたは前記書き換えデータを出力する第１の選択部を備える。
前記表示装置は、前記入出力装置からの入力信号が前記映像データであるか前記書き換えデータであるかを判定する判定部と、前記入力信号が前記映像データである場合は前記入力信号を出力し、前記入力信号が書き換えデータである場合は前記入力信号を出力させない第２の選択部と、前記入力信号が書き換えデータである場合、前記書き換えデータをメモリに書き込む書き込み制御部を備える。
【発明の効果】
【００１２】
本発明によれば、設定情報の書き換えを短時間で行うことが出来る。
【図面の簡単な説明】
【００１３】
【図１】従来のFPGA書き換え方法を示す図である。
【図２】第１の実施の形態に係る映像表示時の表示システムの構成図を示す図である。
【図３】第１の実施の形態に係るFPGA書き換え時の表示システムの構成図を示す図である。
【図４】第１の実施の形態に係る映像入力用プリント板の構成図である。
【図５】第１の実施の形態に係る映像入力用プリント板の切替部の構成図である。
【図６】第１の実施の形態の映像信号出力時の信号の状態を示す図である。
【図７】第１の実施の形態のFPGA書き換え時の信号の状態を示す図である。
【図８】第１の実施の形態に係る表示盤のプリント板の構成図である。
【図９】第１の実施の形態に係る表示盤のプリント板の切替部の構成図である。
【図１０】第２の実施の形態に係る映像入力用プリント板の切替部の構成図である。
【図１１】第２の実施の形態の映像信号出力時の信号の状態を示す図である。
【図１２】第２の実施の形態のFPGA書き換え時の信号の状態を示す図である。
【図１３】第２の実施の形態に係る表示盤のプリント板の切替部の構成図である。
【発明を実施するための形態】
【００１４】
以下、図面を参照しながら本発明の実施の形態を説明する。
図２は、実施の形態に係る映像表示時の表示システムの構成図を示す図である。
表示システム１００は、映像入力用プリント板１０１および表示盤１１１を備える。
【００１５】
映像入力用プリント板１０１は、映像を出力する不図示のPC（パーソナルコンピュータ）や不図示の映像送出装置等と、DVIやHD-SDI等で接続している。映像入力用プリント板１０１は、表示盤１１１と接続している。
【００１６】
映像入力用プリント板１０１は、映像を出力するPCから入力された映像信号を表示盤１１１で用いられる形式のデータに変換して、表示盤１１１に出力する。
表示盤１１１は、プリント板１１２−１、１１２−２を備える。
【００１７】
プリント板１１２−１には、映像入力用プリント板１０１から映像信号が入力される。また、プリント板１１２−１は、映像入力用プリント板１０１から入力された映像信号をプリント板１１２−２に出力する。このように、プリント板１１２は、他のプリント板（次段のプリント板）に映像信号を出力する。つまり、映像入力用プリント板１０１から入力された信号は、表示盤１１１の全てのプリント板に入力される。
【００１８】
プリント板１１２は、映像信号に対して色調補正やトリミング等の調整を行い、表示盤１１１に映像を表示する。色調補正やトリミング等の調整は、プリント板１１２内に設けられたFPGAにより行われる。
【００１９】
尚、表示盤１１１に設けられるプリント板の個数は２つに限られず、表示盤のサイズ等に応じて任意の個数とすることが出来る。
図３は、実施の形態に係るFPGA書き換え時の表示システムの構成図を示す図である。
【００２０】
以下の説明において、図面において同一の符号を付したものは同一のもの及び同様の効果を奏するものであるから、説明を省略する場合がある。
表示システム１００は、映像入力用プリント板１０１、表示盤１１１、およびFPGA書き換え用PC１２１を備える。
【００２１】
FPGA書き換え用PC１２１は、映像入力用プリント板１０１に接続している。FPGA書き換え用PC１２１は、FPGA書き換え時、書き換えモード、書き換えプリント板ＩＤ、書き換えデータ、書き換え用クロック、書き換え状態信号、および切替信号を映像入力用プリント板１０１に出力する。
【００２２】
映像入力用プリント板１０１は、FPGA書き換えデータや書き換えプリント板ＩＤ等を表示盤１１１に出力する。このとき、FPGA書き換えデータは、上述の映像信号を送信した信号線と同じ信号線で送信される。
プリント板１１２の内、書き換えプリント板ＩＤに対応するプリント板１１２は、入力されたFPGA書き換えデータでFPGAを書き換える。
【００２３】
図４は、第１の実施の形態に係る映像入力用プリント板の構成図である。
映像入力用プリント板１０１は、映像入力部２０１、データ受信部２０２、切替部２０３、映像用メモリ２０４、設定スイッチ２０５、および映像出力部２０６を備える。
映像入力部２０１は、映像を出力するPCから入力された映像信号を受信し、切替部２０３に出力する。
【００２４】
データ受信部２０２は、FPGA書き換え用PC１２１から入力されたFPGA書き換えデータ、切替信号、および書き換えプリント板ＩＤを受信し、切替部２０３に出力する。
切替部２０３は、映像信号またはFPGA書き換えデータ等を適宜選択して、映像出力部２０６に出力する。尚、切替部２０３の詳細については後述する。
【００２５】
映像用メモリ２０４は、映像信号を一時的に格納するメモリである。
設定スイッチ２０５は、切替部２０３で用いられる各種設定データを切替部２０３に出力する。
映像出力部２０６は、切替部２０３から入力された信号を表示盤１１１に出力する。
【００２６】
図５は、第１の実施の形態に係る映像入力用プリント板の切替部の構成図である。
第１の実施の形態において、映像信号はRGBの各色１０ビットのパラレル信号とする。具体的には、赤色信号はR[0]〜R[9]、緑色信号はG[0]〜G[9]、青色信号はB[0]〜B[9] の各色１０ビットのパラレル信号で表されるものとする。
【００２７】
切替部２０３には、映像を出力するPC（不図示）や映像送出装置（不図示）から映像入力部２０１を介して映像信号としてR[0]〜R[9]、G[0]〜G[9]、B[0]〜B[9]、垂直同期信号VSYNC、水平同期信号HSYNC、映像クロックCLKが入力される。
【００２８】
また、切替部２０３には、FPGA書き換え用PC１２１からデータ受信部２０２を介して書き換えモード、書き換えプリント板ＩＤ、書き換えデータ、書き換え用クロック、書き換え状態信号、および切替信号が入力される。
【００２９】
書き換えモードは、FPGAの書き換えを行うこと示す情報である。
書き換えプリント板ＩＤは、FPGAの書き換えを行うプリント板を識別する情報である。
書き換えデータは、例えばFPGAの構成情報である。
【００３０】
書き換え用クロックは、FPGA書き換え時のタイミングを示すクロック信号である。
書き換え状態信号は、例えば書き換え中や書き換え済み等のFPGAの書き換え状態を示す信号である。
【００３１】
切替信号は、FPGAの書き換え時にオン、映像表示にオフとなる信号である。
切替部２０３は、データ変換部３０１、セレクタ３０２、セレクタ３０３−ｐ（ｐ＝０〜３）、およびバッファ３０４を備える。
【００３２】
データ変換部３０１は、FPGA書き換え用PC１２１からそれぞれ入力される書き換えモードおよび書き換えプリント板ＩＤを連続したシリアル信号（以下、書き換えモード＋ＩＤ）に変換して、セレクタ３０２に出力する。
【００３３】
セレクタ３０２には、書き換えモード＋ＩＤ、ブランク信号BLANK、垂直同期信号VSYNCが入力される。ブランク信号BLANKは、例えば、設定スイッチ２０５で生成される。
セレクタ３０２は、VSYNCがオフ（ブランク期間）のときは書き換えモード＋ＩＤを選択し、VSYNCがオン（ブランク期間以外）のときはBLANKを選択して、セレクタ３０３−０に出力する。
【００３４】
セレクタ３０３−０には、切替信号、信号R[0]、およびセレクタ３０２の出力信号が入力される。セレクタ３０３−０は、切替信号がオンのときセレクタ３０２の出力信号を選択し、切替信号がオフのとき信号R[0]を選択して、信号R[0]として映像出力部２０６に出力する。
【００３５】
セレクタ３０３−１には、切替信号、信号R[1]、および書き換えデータが入力される。セレクタ３０３−１は、切替信号がオンのとき書き換えデータを選択し、切替信号がオフのとき信号R[1]を選択して、信号R[1]として映像出力部２０６に出力する。
【００３６】
セレクタ３０３−２には、切替信号、信号R[2]、および書き換え用クロックが入力される。セレクタ３０３−１は、切替信号がオンのとき書き換え用クロックを選択し、切替信号がオフのとき信号R[2]を選択して、信号R[2]として映像出力部２０６に出力する。
【００３７】
セレクタ３０３−３には、切替信号、信号R[3]、および書き換え状態信号が入力される。セレクタ３０３−１は、切替信号がオンのとき書き換え状態信号を選択し、切替信号がオフのとき信号R[3]を選択して、信号R[3]として映像出力部２０６に出力する。
信号R[4]〜R[9]、G[0]〜G[9]、B[0]〜B[9]、垂直同期信号VSYNC、水平同期信号HSYNC、映像クロックCLKは、バッファ３０４を介して映像出力部２０６に出力される。
【００３８】
図６は、第１の実施の形態の映像信号出力時の信号の状態を示す図である。
図６では、信号R[0]〜R[9]、信号G[0]〜G[9]、信号B[0]〜B[9]はそれぞれまとめて表している。ここで、R[0]〜R[9]をまとめてR[0..9]、G[0]〜G[9]をまとめてG[0..9]、B[0]〜B[9]をまとめてB[0..9]と表す。
【００３９】
映像信号出力時、R[0..9]は、VSYNCがオフ（ブランク期間）のときブランク信号、VSYNCがオンのとき赤色映像データとなる。
映像信号出力時、G[0..9]は、VSYNCがオフのときブランク信号、VSYNCがオンのとき緑色映像データとなる。
【００４０】
映像信号出力時、B[0..9]は、VSYNCがオフのときブランク信号、VSYNCがオンのとき青色映像データとなる。
映像信号出力時、CLKは映像用クロック、HSYNCは水平同期信号となる。
【００４１】
図７は、第１の実施の形態のFPGA書き換え時の信号の状態を示す図である。
図７では、VSYNCおよび映像信号出力時に信号R[0]〜R[3]として使用される信号の状態を記載し、R[4]〜R[9]（以下、R[4..9]）、B[0..9]、G[0..9]、CLK、およびHSYNCは、省略する。
【００４２】
FPGA書き換え時、信号R[0]は、VSYNCがオフのとき書き換えモード＋ＩＤ、VSYNCがオンのときブランク信号となる。
FPGA書き換え時、信号R[1]は、VSYNCがオフのときブランク信号、VSYNCがオンのとき書き換えデータとなる。
【００４３】
FPGA書き換え時、信号R[2]は、VSYNCがオフのときブランク信号、VSYNCがオンのとき書き換え用クロックとなる。
FPGA書き換え時、信号R[3]は、VSYNCがオフのときブランク信号、VSYNCがオンのとき書き換え状態信号となる。
FPGA書き換え時、信号R[4..9]、B[0..9]、G[0..9]、CLK、およびHSYNCは、ブランク信号となる。
【００４４】
図８は、第１の実施の形態に係る表示盤のプリント板の構成図である。
プリント板１１２−１は、受信部４０１、切替部４０２、コンフィギュレーションメモリ４０３、FPGA４０４、設定スイッチ４０５、送信ドライバ４０６、および表示制御出力部４０７を備える。
【００４５】
受信部４０１は、映像入力用プリント板１０１からの信号を受信し、切替部４０２および送信ドライバ４０６に出力する。
切替部４０２は、入力信号をPFGA４０４およびコンフィギュレーションメモリ４０３に出力する。尚、切替部４０２の詳細は後述する。
【００４６】
コンフィギュレーションメモリ４０３には、FPGA４０４の回路の構成情報が格納されている。
FPGA４０４は、プリント板１１２−１の起動時にコンフィギュレーションメモリ４０３からFPGAの回路の構成情報を読み出し、該構成情報に基づいて動作する。FPGA４０４は、例えば色調補正やトリミング等の調整を行う。
【００４７】
尚、FPGAの書き換えとは、本実施の形態のようにFPGAの回路の構成情報が格納されているコンフィギュレーションメモリが設けられている場合は、コンフィギュレーションメモリに対する書き換えのことをいう。また、プリント板にコンフィギュレーションメモリが設けられていない場合には、FPGAの構成情報の書き換えは、FPGAに対して行われるので、FPGAの書き換えとは、FPGAに対する書き換えのことを言う。
【００４８】
設定スイッチ４０５は、切替部４０２またはFPGAで用いられるデータを切替部４０２およびFPGAに出力する。
送信ドライバ４０６は、他のプリント板１１２−２に入力信号を出力する。
表示制御出力部４０７は、データを表示盤１１１の表示部（不図示）に表示する。
【００４９】
図９は、第１の実施の形態に係る表示盤のプリント板の切替部の構成図である。
切替部４０２は、モード判定部５０１、セレクタ５０２、書き込み制御部５０３、およびバッファ５０４を備える。
【００５０】
垂直同期信号VSYNC、水平同期信号HSYNC、映像用クロックCLKは、バッファ５０４を介してFPGA４０４へ入力される。
モード判定部５０１には、信号R[0..9]、G[0..9]、B[0..9]、垂直同期信号VSYNCが入力される。以下、信号R[0..9]、G[0..9]、およびB[0..9]は、まとめて信号RGB[0..9]と表す。
【００５１】
また、モード判定部５０１には、設定スイッチ４０５からプリント板設定ＩＤが入力される。プリント板設定ＩＤは、プリント板を識別するために各プリント板に割り当てられた番号や記号である。
【００５２】
モード判定部５０１は、信号RGB[0..9]をセレクタ５０２および書き込み制御部５０３、モード切替信号をセレクタ５０２、書き換え許可信号を書き込み制御部５０３にそれぞれ出力する。
【００５３】
モード判定部５０１は、垂直同期信号VSYNCがオフ（ブランク期間）の時の信号R[0]をチェックする。
信号R[0]が、ブランク信号の場合は、入力信号は映像データであるので、モード切替信号および書き換え許可信号をオフとする。
【００５４】
信号R[0]が、書き換えモード＋ＩＤであった場合、書き換えモード＋ＩＤに含まれるＩＤとプリント板設定ＩＤを比較し、一致するかどうかチェックする。信号R[0]の書き換えモード＋ＩＤに含まれるＩＤとプリント板設定ＩＤが一致した場合は、書き換え対象のプリント板であるため、モード切替信号および書き換え許可信号をオンにする。信号R[0]の書き換えモード＋ＩＤに含まれるＩＤとプリント板設定ＩＤが一致しなかった場合は、モード切替信号をオン、書き換え許可信号をオフとする。
【００５５】
セレクタ５０２には、不図示のスイッチから黒表示データが入力される。黒表示データは、表示盤に黒画面を表示するデータである。また、セレクタ５０２には、モード判定部５０１から、信号RGB[0..9]およびモード切替信号が入力される。
【００５６】
セレクタ５０２は、モード切替信号がオンのとき、黒表示データを選択し、FPGA４０４に出力する。これにより、FPGAの書き換え時は表示盤は黒表示となる。セレクタ５０２は、モード切替信号がオフのとき、信号RGB[0..9]（モード切替信号がオフなので、信号RGB[0..9]は映像データである）をFPGA４０４に出力する。本実施例では、モード切替信号がオンのとき、黒表示データを選択する事としているが、これに限らず、信号RGB[0..9]を出力しないようにする事に選択させるようにしても良い。
【００５７】
書き込み制御部５０３は、書き換え許可信号がオンのとき、書き換えデータ（信号R[1]）を書き換え用クロック（信号R[2]）に従って、コンフィギュレーションメモリ４０５に書き込む。
書き込み制御部５０３は、書き換え許可信号がオフのときは、コンフィギュレーションメモリ４０５への書き込みは行わない。
【００５８】
次に、映像信号がシリアル信号である第２の実施の形態を説明する。
第２の実施の形態において、表示システム、映像入力用プリント板、表示盤、および表示盤のプリント板の構成は、第１の実施の形態と同様であるので説明は省略する。
【００５９】
図１０は、第２の実施の形態に係る映像入力用プリント板の切替部の構成図である。
第２の実施の形態において、映像信号はRGBの各色１０ビットのシリアル信号とする。具体的には、赤色信号はR、緑色信号はG、青色信号はB の各色１０ビットのシリアル信号で表されるものとする
切替部２０７は、図４の切替部２０３に対応する。
【００６０】
切替部２０７には、映像を出力するPCから映像入力部２０１を介して映像信号として信号R、G、B、垂直同期信号VSYNC、映像クロックCLKが入力される。
また、切替部２０７には、FPGA書き換え用PC１２１からデータ受信部２０２を介して書き換えモード、書き換えプリント板ＩＤ、書き換えデータ、書き換え用クロック、書き換え状態信号、および切替信号が入力される。
【００６１】
書き換えモードは、FPGAの書き換えを行うこと示す情報である。
書き換えプリント板ＩＤは、FPGAの書き換えを行うプリント板を識別する情報である。
書き換えデータは、例えばFPGAの構成情報である。
【００６２】
書き換え用クロックは、FPGA書き換え時のタイミングを示すクロック信号である。
書き換え状態信号は、例えば書き換え中や書き換え済み等のFPGAの書き換え状態を示す信号である。
【００６３】
切替信号は、FPGAの書き換え時にオン、映像表示にオフとなる信号である。
切替部２０７は、データ変換部６０１、セレクタ６０２、セレクタ６０３−ｐ（ｐ＝０〜３）、およびバッファ６０４を備える。
【００６４】
データ変換部６０１は、FPGA書き換え用PC１２１からそれぞれ入力される書き換えモードおよび書き換えプリント板ＩＤを連続したシリアル信号（以下、書き換えモード＋ＩＤ）に変換して、セレクタ６０２に出力する。
【００６５】
セレクタ６０２には、書き換えモード＋ＩＤ、ブランク信号BLANK、垂直同期信号VSYNCが入力される。BLANKは、例えば、設定スイッチ２０５で生成される。
セレクタ６０２は、VSYNCがオフ（ブランク期間）のときは書き換えモード＋ＩＤを選択し、VSYNCがオン（ブランク期間以外）のときはBLANKを選択して、セレクタ６０３−０に出力する。
【００６６】
セレクタ６０３−０には、切替信号、信号R、およびセレクタ６０２の出力信号が入力される。セレクタ６０３−０は、切替信号がオンのときセレクタ６０２の出力信号を選択し、切替信号がオフのとき信号Rを選択して、信号Rとして映像出力部２０６に出力する。
【００６７】
セレクタ６０３−１には、切替信号、信号G、および書き換えデータが入力される。セレクタ６０３−１は、切替信号がオンのとき書き換えデータを選択し、切替信号がオフのとき信号Gを選択して、信号Gとして映像出力部２０６に出力する。
【００６８】
セレクタ６０３−２には、切替信号、信号B、および書き換え用クロックが入力される。セレクタ６０３−２は、切替信号がオンのとき書き換え用クロックを選択し、切替信号がオフのとき信号Bを選択して、信号Bとして映像出力部２０６に出力する。
【００６９】
セレクタ６０３−３には、切替信号、映像用クロックCLK、および書き換え状態信号が入力される。セレクタ６０３−３は、切替信号がオンのとき書き換え状態信号を選択し、切替信号がオフのとき映像用クロックCLKを選択して、信号CLKとして映像出力部２０６に出力する。
垂直同期信号VSYNC、は、バッファ６０４を介して映像出力部２０６に出力される。
【００７０】
図１１は、第２の実施の形態の映像信号出力時の信号の状態を示す図である。
映像信号出力時、信号Rは、VSYNCがオフ（ブランク期間）のときブランク信号、VSYNCがオンのとき赤色映像データとなる。
【００７１】
映像信号出力時、信号Gは、VSYNCがオフのときブランク信号、VSYNCがオンのとき緑色映像データとなる。
映像信号出力時、信号Bは、VSYNCがオフのときブランク信号、VSYNCがオンのとき青色映像データとなる。
映像信号出力時、信号CLKは映像用クロックとなる。
【００７２】
図１２は、第２の実施の形態のFPGA書き換え時の信号の状態を示す図である。
FPGA書き換え時、信号Rは、VSYNCがオフのとき書き換えモード＋ＩＤ、VSYNCがオンのときブランク信号となる。
【００７３】
FPGA書き換え時、信号Gは、VSYNCがオフのときブランク信号、VSYNCがオンのとき書き換えデータとなる。
FPGA書き換え時、信号Bは、VSYNCがオフのときブランク信号、VSYNCがオンのとき書き換えクロックとなる。
FPGA書き換え時、信号CLKは、VSYNCがオフのときブランク信号、VSYNCがオンのとき書き換え状態信号となる。
【００７４】
図１３は、第２の実施の形態に係る表示盤のプリント板の切替部の構成図である。
切替部４０８は、モード判定部７０１、セレクタ７０２、書き込み制御部７０３、およびバッファ７０４を備える。
切替部４０８は、図８の切替部４０２に対応する。
垂直同期信号VSYNCは、バッファ７０４を介してFPGA４０４へ入力される。
【００７５】
モード判定部７０１には、信号R、G、B、CLK、および垂直同期信号VSYNCが入力される。以下、信号R、G、およびBは、まとめて信号RGBと表す。
また、モード判定部７０１には、設定スイッチ４０５からプリント板設定ＩＤが入力される。プリント板設定ＩＤは、プリント板を識別するために各プリント板に割り当てられた番号や記号である。
【００７６】
モード判定部７０１は、信号RGBおよびCLKをセレクタ７０２および書き込み制御部７０３、モード切替信号をセレクタ７０２、書き換え許可信号を書き込み制御部７０３にそれぞれ出力する。
【００７７】
モード判定部７０１は、垂直同期信号VSYNCがブランク期間の時の信号Rをチェックする。
信号Rが、ブランク信号の場合は、入力信号は映像データであるので、モード切替信号および書き換え許可信号をオフとする。
【００７８】
信号Rが、書き換えモード＋ＩＤであった場合、書き換えモード＋ＩＤに含まれるＩＤとプリント板設定ＩＤを比較し、一致するかどうかチェックする。信号Rの書き換えモード＋ＩＤに含まれるＩＤとプリント板設定ＩＤが一致した場合は、書き換え対象のプリント板であるため、モード切替信号および書き換え許可信号をオンにする。信号Rの書き換えモード＋ＩＤに含まれるＩＤとプリント板設定ＩＤが一致しなかった場合は、モード切替信号をオン、書き換え許可信号をオフとする。
【００７９】
セレクタ７０２には、不図示のスイッチから黒表示データが入力される。黒表示データは、表示盤に黒画面を表示するデータである。また、セレクタ７０２には、モード判定部７０１から、信号RGB、CLK、およびモード切替信号が入力される。
【００８０】
セレクタ７０２は、モード切替信号がオンのとき、黒表示データを選択し、FPGA４０４に出力する。これにより、FPGAの書き換え時は表示盤は黒表示となる。セレクタ７０２は、モード切替信号がオフのとき、信号RGBおよびCLK（モード切替信号がオフなので、信号RGBは映像データである）をFPGA４０４に出力する。
【００８１】
書き込み制御部７０３は、書き換え許可信号がオンのとき、書き換えデータ（信号G）を書き換え用クロック（信号B）に従って、コンフィギュレーションメモリ４０５に書き込む。
書き込み制御部５０３は、書き換え許可信号がオフのときは、コンフィギュレーションメモリ４０５への書き込みは行わない。
【００８２】
実施の形態の表示システムは、通常、映像データを送信する映像信号線でFPGA書き換えデータを送信している。従って、FPGA書換え用PCは映像入力用プリント板にのみ接続すればよいので、一枚ずつのプリント板への接続、書き換えの繰返しの手間がなくなり、短時間で作業を行うことが出来る。また、プリント板がビルの壁面や高所に設置してある場合でも、FPGA書換え用PCは映像入力用プリント板にのみ接続すればよいので、書き換えが容易になる。
【符号の説明】
【００８３】
１００    表示システム
１０１    映像入力用プリント板
１１１    表示盤
１１２    プリント板
１２１    FPGA書き換え用PC
２０１    映像入力部
２０２    データ受信部
２０３    切替部
２０４    映像用メモリ
２０５    設定スイッチ
２０６    映像出力部
２０７    切替部
３０１    データ変換部
３０２、３０３    セレクタ
３０４    バッファ
４０１    受信部
４０２    切替部
４０３    コンフィギュレーションメモリ
４０４    FPGA
４０５    設定スイッチ
４０６    送信ドライバ
４０７    表示制御出力部
４０８    切替部
【図１】
2011158660.tif 000003
【図２】
2011158660.tif 000004
【図３】
2011158660.tif 000005
【図４】
2011158660.tif 000006
【図５】
2011158660.tif 000007
【図６】
2011158660.tif 000008
【図７】
2011158660.tif 000009
【図８】
2011158660.tif 000010
【図９】
2011158660.tif 000011
【図１０】
2011158660.tif 000012
【図１１】
2011158660.tif 000013
【図１２】
2011158660.tif 000014
【図１３】
2011158660.tif 000015